(57)【要約】      （修正有）【課題】簡易な構成で、かつ簡単に収納可能な開閉式パネル装置を提供する。【解決手段】回転による開閉動作の際に支点となる回転軸部５３を有するパネル部３２と、当該パネル部の収納空間を形成するケース本体部、及び当該回転軸部を回転自在な状態で保持する回転軸保持部４３を有するパネル収納ケース部３１とを設け、当該パネル部３２の形状は、当該回転軸部５３を支点とした鉛直線とのなす開角度θが所定の均衡角度θ´＝２７度になった時点で当該パネル収納ケース部３１に引き込まれるような重量配分に選定されているようにする。【選択図】図９
2006351730.tif 000002
【特許請求の範囲】
【請求項１】
回転による開閉動作の際に支点となる回転軸部を有するパネル部と、
上記パネル部の収納空間を形成する収納空間形成部、及び上記回転軸部を回転自在な状態で保持する回転軸保持部を有するパネル収納部と
を具え、
上記パネル部の形状は、上記回転軸部を支点として、所定の角度になった時点で上記収納空間形成部に引き込まれるような重量配分に選定されている
ことを特徴とする開閉式パネル装置。
【請求項２】
上記パネル部は、
上記パネル部に所定の装着部品が取り付けられ、
上記パネル部の形状と上記装着部品の装着位置とによって、上記重量配分に選定されている
ことを特徴とする請求項１に記載の開閉式パネル装置。
【請求項３】
上記パネル部には、
上記パネル収納部に収納された場合であっても露出する露出面に対して外部から引っ掛けることが可能な所定形状の引掛部が設けられている
ことを特徴とする請求項１に記載の開閉式パネル装置。
【請求項４】
開状態又は閉状態にするための回転動作の際に支点となる回転軸部、及び上記閉状態において上記回転動作を停止するための被固定部を有するパネル部と、
上記パネル部の収納空間を形成する収納空間形成部、上記回転軸部を回転自在な状態で保持する回転軸保持部、及び上記被固定部を磁力によって固定する固定部を有するパネル収納部と
を具え、
上記パネル部の形状は、上記回転軸部を支点として、所定の角度になった時点で上記収納空間形成部に引き込まれるような重量配分に選定されている
ことを特徴とする開閉式パネル装置。
【請求項５】
上記パネル部には、
上記パネル収納部に収納された場合であっても露出する露出面に対して外部から引っ掛けることが可能な所定形状の引掛部が設けられている
ことを特徴とする請求項４に記載の開閉式パネル装置。
【発明の詳細な説明】
【技術分野】
【０００１】
本発明は、開閉式パネル装置に関し、例えばミニコンポーネントステレオに適用して好適なものである。
【背景技術】
【０００２】
従来、ミニコンポーネントステレオにおいては、ユーザにとって操作が容易な前面部分に操作ボタンが配置されることが多い。また、通常時には操作ボタンを搭載したパネルを収納して、使用時にのみ当該パネルを開動作することによって露出させ、操作ボタンを使用できるようにする開閉式のパネル装置が提案されている。
【０００３】
このような開閉式のパネル装置としては、回転軸を支点とした回転動作によって操作パネルを開閉するようになされたものがある（例えば、特許文献１参照）。
【特許文献１】特開２００３−１７４２６７公報
【発明の開示】
【発明が解決しようとする課題】
【０００４】
ところでかかる構成の開閉式パネル装置においては、開動作方向に常時加えられているバネの付勢力によって操作パネルを開くため、収納時にはユーザに当該バネの付勢力に対抗して当該操作パネルを収納位置まで戻させた後、係止具を用いて当該操作パネルを係止させければならなかった。この結果、この開閉式操作パネル装置では、ユーザの収納に係る作業を煩雑にさせると共に、バネ及び係止具が必要となる分だけ構成が複雑になるという問題があった。
【０００５】
本発明は以上の点を考慮してなされたもので、簡易な構成で、かつユーザによる簡単な操作により収納可能な開閉式パネル装置を提案しようとするものである。
【課題を解決するための手段】
【０００６】
かかる課題を解決するため本発明の開閉式パネル装置においては、回転による開閉動作の際に支点となる回転軸部を有するパネル部と、当該パネル部の収納空間を形成する収納空間形成部、及び当該回転軸部を回転自在な状態で保持する回転軸保持部を有するパネル収納部とを具え、当該パネル部の形状は、当該回転軸部を支点として、所定の角度になった時点で当該収納空間形成部に引き込まれるような重量配分に選定されるようにした。
【０００７】
これにより、ユーザによるパネル部を所定の角度まで閉じる操作の後は、当該パネル部の自重によって当該パネルが収納空間形成部へ自動的に引き込まれて収納される。
【０００８】
さらに本発明の開閉式パネル装置においては、開状態又は閉状態にするための回転動作の際に支点となる回転軸部、及び当該閉状態において当該回転動作を停止するための被固定部を有するパネル部と、当該パネル部の収納空間を形成する収納空間形成部、当該回転軸部を回転自在な状態で保持する回転軸保持部、及び当該被固定部を磁力によって固定する固定部を有するパネル収納部とを具え、当該パネル部の形状は、当該回転軸部を支点として、所定の角度になった時点で当該収納空間形成部に引き込まれるような重量配分に選定されるようにした。
【０００９】
これにより、ユーザによるパネル部を所定の角度まで閉じる操作の後は、当該パネル部の自重によって当該パネル部が収納空間形成部へ自動的に引き込まれて収納される。
【発明の効果】
【００１０】
本発明によればパネル部を所定の角度まで閉じる操作の後は、当該パネル部の自重によって当該パネル部が収納空間形成部へ自動的に引き込まれて収納されるため、簡易な構成で、かつユーザによる簡単な操作によって収納可能な開閉式パネル装置を実現することができる。
【発明を実施するための最良の形態】
【００１１】
以下、図面について、本発明の一実施の形態を詳述する。
【００１２】
（１）ミニコンポーネントステレオの全体構成
図１に示すように、ミニコンポーネントステレオ（以下、これをミニコンポと呼ぶ）１においては、全体として直方体形状でなり、フロント操作盤部２を有する方向を前方向とした時に、前面の中央部に当該フロント操作盤部２、前面の両端部にスピーカ３、上面の中央部にトップ操作盤部４を有している。
【００１３】
フロント操作盤部２は、ＭＤ（Mini Disc（登録商標））挿入口５と、ＣＤ（Compact Disc）挿入口６と、ＬＣＤ（Liquid Crystal Display）等からなる表示部８とを有している。一方トップ操作盤部４は、カセットテープ収納部９を有している。
【００１４】
ミニコンポ１では、スピーカ３を介してＭＤ挿入口５、ＣＤ挿入口６に挿入、又はカセットテープ収納部９に収納された各種記録媒体に記録された音楽情報及び図示しないチューナ部によって受信したラジオ番組をユーザに対して聴取させ、又は記録可能な媒体に記録させると共に、表示部８を介して当該各種記録媒体及びチューナ部から取得した再生及び受信に関する種々の情報を表示し得るようになされている。
【００１５】
（２）メイン機能ボタン群
図２に示すように、ミニコンポ１では、トップ操作盤部４に操作ボタンであるメイン機能ボタン群１９を有し、ユーザによる当該メイン機能ボタン群１９の操作に応じて、各種処理を実行するようになされている。ここで、トップ操作盤部４のメイン機能ボタン群１９は、主電源ボタン１９Ａと、再生モード切換ボタン１９Ｂ、１９Ｃと、カセットイジェクトボタン１９Ｄとによって構成される。
【００１６】
また図３に示すように、ミニコンポ１では、フロント操作盤部２に操作ボタンであるメイン機能ボタン群２０を有し、ユーザによる当該メイン機能ボタン群２０の操作に応じて、各種処理を実行するようになされている。ここで、フロント操作盤部２のメイン機能ボタン群２０は、ＭＤ再生／一時停止ボタン２０Ａと、ＣＤ再生／一時停止ボタン２０Ｂと、テープ再生／一時停止ボタン２０Ｃと、チューナバンド切換ボタン２０Ｄと、中止ボタン２０Ｅと、ＭＤ録音ボタン２０Ｆと、ＭＤイジェクトボタン２０Ｇと、プリセットボタン２０Ｉと、キャンセルボタン２０Ｊと、メニューボタン２０Ｋと、スキップボタン２０Ｌと、音量調整ダイアル２０Ｎと、ＣＤイジェクトボタン２０Ｐとによって構成されている。以下、当該各種処理について簡単に説明する。
【００１７】
ミニコンポ１では、主電源ボタン１９Ａ（図２）が操作されると、ミニコンポ１における主電源のＯＮ／ＯＦＦを切り換えるようになされている。
【００１８】
ミニコンポ１では、ユーザによるＭＤ再生／一時停止ボタン２０Ａ（図３）の操作に応じて動作モードをＭＤ再生モードに設定すると共に、ＭＤ挿入口５に挿入されたＭＤの再生処理及び一時停止処理を行うようになされている。さらにミニコンポ１では、スキップボタン２０Ｌの操作に応じたＭＤ収納曲の選曲と、ＭＤイジェクトボタン２０Ｇの操作に応じたＭＤ挿入口５の引出処理とを行うようになされている。
【００１９】
同様にミニコンポ１では、ユーザによるＣＤ再生／一時停止ボタン２０Ｂの操作に応じて動作モードをＣＤ再生モードへ切り換えると共に、ＭＤ挿入口５に挿入されたＣＤの再生処理及び一時停止処理を行うようになされている。さらにミニコンポ１では、スキップボタン２０Ｌに応じたＣＤ収納曲の選曲と、ＣＤイジェクトボタン２０Ｐの操作に応じたＣＤ挿入口６の引出処理とを行うようになされている。
【００２０】
またミニコンポ１では、ユーザによるテープ再生／一時停止ボタン２０Ｃの操作に応じて動作モードをテープ再生モードへ切り換えると共に、カセットテープ収納部９に収納されたカセットテープの再生処理及び一時停止処理を行うようになされている。さらにミニコンポ１では、再生モード切換ボタン１９Ｂ、１９Ｃ（図２）の操作に応じた再生モードの切換処理と、スキップボタン２０Ｌ（図３）に応じたカセットテープ収納曲の選曲と、図示しない録音ボタンに応じたダビング処理又は録音処理と、カセットイジェクトボタン１９Ｄ（図２）の操作に応じたカセットテープ収納部９の開動作処理とを行うようになされている。
【００２１】
またミニコンポ１では、ユーザによるチューナバンド切換ボタン２０Ｄ（図３）の操作に応じて動作モードをラジオ受信モードへ切り換えてラジオ番組の受信処理を実行すると共に、受信周波数帯をＡＭ又はＰＭに切り換える周波数帯選択処理を行うようになされている。さらにミニコンポ１では、ユーザによるプリセットボタン２０Ｉの操作に応じた受信周波数を予め設定されたチャンネルへのチャンネル設定処理と、スキップボタン２０Ｌの操作に応じた当該受信周波数の変更処理とを実行するようになされている。
【００２２】
またミニコンポ１では、上述したＭＤ、ＣＤ、カセットテープに対する再生処理又はラジオ番組の受信処理中において、ユーザによる音量調整ダイアル２０Ｎの操作に応じた音量の調整と、中止ボタン２０Ｅの操作に応じた当該再生又は受信の中止処理とを実行するようになされている。
【００２３】
さらにミニコンポ１では、ユーザによるＭＤ録音ボタン２０Ｆの操作に応じて、ＣＤ又はカセットテープに記録された音楽情報をＭＤ挿入口５に挿入されたＭＤに記録するダビング処理、又は受信したラジオ番組を当該ＭＤに記録する録音処理を実行するようになされている。
【００２４】
またミニコンポ１では、ユーザによるメニューボタン２０Ｋの操作に応じて動作モードをＭＤ編集モードへ切り換えて表示部８に例えば消去、結合等の編集メニューを表示すると、プリセットボタン２０Ｉとメニューボタン２０Ｋとの操作に応じて当該編集メニューを決定し、又はキャンセルボタン２０Ｊの操作に応じて当該ＭＤ編集モードを解除するようになされている。
【００２５】
このようにしてミニコンポ１では、トップ操作盤部４及びフロント操作盤部２におけるメイン機能ボタン群１９及び２０によって、ミニコンポ１の使用に係る操作の殆どを行い得るようになされている。
【００２６】
（３）開閉式パネル部
ミニコンポ１では、図４に示すように、フロント操作盤部２の下部に通常使用時には閉状態にして収納し（図１）、使用時には開状態にして使用する略三角形状の断面を有する開閉式パネル部３０が設けられている。
【００２７】
（３−１）サブ機能ボタン群
ミニコンポ１では、開閉式パネル部３０にサブ機能ボタン群７０が設けられ（図４）、ユーザによる当該サブ機能ボタン群７０の操作により、各種処理を実行するようになされている。ここで図５に示すように、サブ機能ボタン群７０は録音モードボタン７０Ａと、圧縮モードボタン７０Ｂと、ファンクションボタン７０Ｃと、ＰＣモードボタン７０Ｄと、時間機能ボタン７０Ｅと、アラームボタン７０Ｆと、時間合わせボタン７０Ｇと、スリープタイマーボタン７０Ｈと、スタンバイボタン７０Ｉとによって構成されている。以下、当該処理の内容について簡単に説明する。
【００２８】
ミニコンポ１では、ユーザによる録音モードボタン７０Ａの操作に応じて、録音モード選択状態に設定されると、圧縮モードボタン７０Ｂの操作に応じてＭＤ、ＭＤＬＰ（Mini Disc Long Play mode）２、ＭＤＬＰ４等の録音モードを順次選択し、録音モードボタン７０Ａの再操作に応じて、圧縮モードボタン７０Ｂより選択された録音モードを最終的に決定するようになされている。
【００２９】
またミニコンポ１では、ユーザによるファンクションボタン７０Ｃの操作に応じて、パソコンモード選択状態へ切り換えられると、ＰＣモードボタン７０Ｄの操作に応じて動作モードをパソコン編集、パソコンからの再生等のパソコンモードを順次選択し、ファンクションボタン７０Ｃの再操作に応じて、ＰＣモードボタン７０Ｄより選択されたパソコンモードを最終的に決定するようになされている。
【００３０】
またミニコンポ１では、ユーザによる時間機能ボタン７０Ｅの操作に応じて、時間機能選択状態へ切り換えられると、アラームボタン７０Ｆ、時間合わせボタン７０Ｇ、スリープタイマーボタン７０Ｈの操作に応じて動作モードをそれぞれアラームモード、時間合わせモード、スリープタイマーモードへ切り換えると、当該時間機能ボタン７０Ｅの再操作に応じて各モードにおける設定時間を選択し、スタンバイボタン７０Ｉの操作に応じて当該設定時間を最終的に決定するようになされている。
【００３１】
このようにしてミニコンポ１では、比較的使用頻度の低いサブ機能ボタン群７０を開閉式パネル部３０に搭載し、使用時以外は当該開閉式パネル部３０が閉状態にされ当該サブ機能ボタン群７０が隠れることによって、ミニコンポ１の表面に露出するボタン構成をメイン機能ボタン群１９、２０だけに限定させ得、ユーザに対するボタンの操作性を向上し得るようになされている。
【００３２】
（３−２）開閉式パネル部の構成
図６において、３０は全体として閉状態における開閉式パネル部を示し、パネル収納ケース部３１と、パネル部３２とによって構成されている。
【００３３】
パネル部３２においては、その閉状態の時に垂直面となるパネル露出板部５４が設けられ、矩形の板状でなるパネル露出板本体部５４Ｃと、上部のパネル露出板上縁部５４Ｄと、左右両端のパネル露出板側縁部５４Ｅとによって構成されている。
【００３４】
ここで、パネル露出板部５４のパネル収納ケース部３１に対向する面をパネル露出板背面５４Ｂ、その対向する面をパネル露出板正面５４Ａとし、当該パネル露出板背面５４Ｂの向く方向を後方向、当該パネル露出板正面５４Ａの向く方向を前方向、当該パネル露出板正面５４Ａにユーザが対峙した状態において右側を右方向、左側を左方向として以下、説明する。
【００３５】
このパネル部３２には、パネル露出板側縁部５４Ｅの下部両端におけるパネル露出板背面５４Ｂ側に回転軸部５３が形成されている。
【００３６】
一方パネル収納ケース部３１は、１／４円状のケース側面部４１Ｂを有する１／４円柱形状のケース本体部４１と、矩形状のケース上縁部４２とで構成され、当該ケース本体部４１ではその前面部分が開口して空洞を形成し、当該空洞部分にパネル部３２を収納し得るようになされている。
【００３７】
このパネル収納ケース部３１では、ケース側面部４１Ｂの前方向端面であるケース側面部端面４１ＢＡの下部に回転軸保持部４３が設けられ、当該回転軸保持部４３には左右方向に貫通する円形の貫通孔４３Ａが形成されている。
【００３８】
そしてパネル収納ケース部３１は、回転軸保持部４３の貫通孔４３Ａの内側から、パネル部３２の回転軸部５３を嵌合することによって、当該パネル部３２を装着し得るようになされている。この結果パネル収納ケース部３１では、回転軸部５３を支点として当該パネル部３２を回転自在に保持することができ、回転動作によって当該パネル部３２を開状態にしたり、あるいは閉状態にしてサブ機能ボタン群７０を収納し得るようになされている。
【００３９】
図７に示すように、開状態における開閉式パネル部３０では、パネル部３２のパネル露出板部５４におけるパネル露出板背面５４Ｂ側に、側面が直角二等辺三角形でなる三角柱形状の柱部５１が設けられている。この柱部５１は、開状態の時にその後方向が開口して空洞になっており、パネル露出板部５４に対して斜め４５度に形成されたパネル操作面部５１Ａと、当該パネル操作面５１Ａと直交する直角二等辺三角形状のパネル側面部５１Ｂとによって形成されている。
【００４０】
パネル操作面部５１Ａには、全体に渡って複数の貫通孔５２が形成されており、上述した柱部５１の空洞部分にサブ機能ボタン群７０が一体化された装着ボタン部３３が取り付けられ、当該貫通孔５２から外側へ向かって当該サブ機能ボタン群７０が僅かに突出するようになされている。
【００４１】
これにより開閉式パネル部３０では、パネル部３２が開状態（図４）の時には当該パネル部３２に搭載されたサブ機能ボタン群７０を表面に露出させることにより、ユーザに当該サブ機能ボタン群７０を使用させることができる。そして開閉式パネル部３０では、当該サブ機能ボタン群７０を使用しない時には当該サブ機能ボタン群７０を閉状態にさせ、当該パネル部３２を収納（図１）することによって、操作ボタンが設置されていないパネル露出板正面５４Ａを表面に露出させ、使用頻度の多いメイン機能ボタン群１９及び２０だけを露出するようになされている。
【００４２】
さらにパネル部３２（図７）では、柱部５１における９０度をなす頂点近傍でパネル側面部５１Ｂから突出する回転軸部５３が設けられている。
【００４３】
ここで、パネル部３２の回転軸部５３は、大小２つの円柱が同一の中心軸を介してを重ねられた形状でなり、パネル側面部５１Ｂに設けられた大径円柱部の大径回転軸部５３Ｂと、当該大径回転軸部５３Ｂに重ねられた小径円柱部の回転中心軸部５３Ａとによって構成されている。この回転中心軸部５３Ａが回転軸保持部４３の貫通孔４３Ａに嵌合される一方、直径が当該貫通孔４３Ａよりも大きい当該大径回転軸部５３Ｂは、当該貫通孔４３Ａに嵌合されることはない。これにより開閉式パネル部３０では、当該大径回転軸部５３Ｂによってパネル側面部５１Ｂとケース側面部４１Ｂとの間に隙間を形成し得、パネル部３２の回転動作における当該パネル側面部５１Ｂと当該ケース側面部４１Ｂとの接触を防止し、滑らかな回転動作を行い得るようになされている。
【００４４】
さらにパネル部３２では、パネル露出板側縁部５４Ｅのパネル露出板背面５４Ｂ側に上述した回転軸部５３に沿うように溝状の回転軸溝部６０が設けられている。この回転軸溝部６０により、パネル露出板側縁部５４Ｅと回転軸保持部４３とが引っ掛かることなく回転でき、滑らかな回転動作を行い得るようになされている。さらに当該開閉式パネル部３０では、当該回転軸保持部４３の突出部分を当該回転軸溝部６０によって吸収できるため、パネル収納ケース部３１とパネル部３２との間の隙間を無くすことができると共に、当該開閉式パネル部３０を小型化することが可能となる。
【００４５】
さらに開閉式パネル部３０では、パネル露出板上縁部５４Ｄの左右端におけるパネル露出板背面５４Ｂ側に磁石からなる被固定部５８と、ケース上縁部４２の当該被固定部５８に対向する部分に金属板からなる固定部４５とが設けられ、閉状態において当該被固定部５８を当該固定部４５に固定し得るようになされている。
【００４６】
これにより、開閉式パネル部３０では、閉状態においてパネル部３２をパネル収納ケース部３１に磁力によって固定し得、振動によって生じる当該パネル部３２のガタツキを防止し得るようになされている。
【００４７】
また図８に示すように、開状態の開閉式パネル部３０では、パネル収納ケース部３１におけるケース側面部４１Ｂの前方向下部に矩形状の切抜部分である角度保持凹部４４が設けられ、一方、パネル部３２におけるパネル露出板部５４の後端部には、柱部５１より大きく形成された部分である角度保持凸部５４Ｆが設けられている。そして開閉式パネル部３０では、当該パネル部３２を開動作した際、回転軸部５３を支点とした時に鉛直方向と当該パネル露出板部５４とのなす角度（以下、これを開角度θと呼ぶ）が９０度になった際、当該角度保持凹部４４の水平辺部分に当該角度保持凸部５４Ｆが係止され、当該パネル露出板部５４を水平状態で保持するようになされている。
【００４８】
この結果パネル操作面部５１Ａは、上述した水平状態のパネル露出板部５４に対して４５度に交差しているため、水平から４５度の角度に保持され得るようになされている。このため開閉式パネル部３０では、ユーザに当該パネル操作面部５１Ａ上のサブ機能ボタン群７０を斜め上から視認させ易くし得るため、例えばミニコンポ１がユーザの視線より低い位置にある場合でも、当該サブ機能ボタン群７０をユーザに視認させ易くし得るようになされている。さらに開閉式パネル部３０では、パネル部３２及びパネル収納ケース部３１の形状を変えるだけで上述した角度保持凹部４４と角度保持凸部５４Ｆとを設けることができるため、当該パネル部３２の角度を保持するために特別な部品を必要せず、簡易な構成にすることができる。
【００４９】
このようにしてミニコンポ１では、開閉式パネル部３０が組み込まれ、回転軸部５３を支点とした回転動作によってパネル部３２を開閉し得るようになされている。これによりミニコンポ１は、閉状態では、当該パネル部３２におけるパネル露出面５４Ａをフロント操作盤部２の一部として周囲面から突出することなく同一面上に露出させる（図１）と共に、当該パネル部３２の開状態では、当該パネル部３２に搭載されたサブ機能ボタン群７０を露出させる（図４）ようになされている。
【００５０】
（３−３）開閉式パネル部の開動作
開閉式パネル部３０では、パネル露出板側縁部５４Ｅの右端部におけるパネル露出板背面５４Ｂ側に半円状のくり抜き部である指掛部５６（図７）が設けられている。一方、ミニコンポ１には、当該開閉式パネル部３０を閉状態にした時に当該指掛部５６と隣接する部分に図示しない凹部が設けられている。従って、ユーザは閉状態においてこの凹部から当該指掛部５６に指を挟み入れ、当該指掛部５６に指を引っ掛けた状態で当該指を前方向に移動することによって、当該パネル部３２を小さな力で簡単に開動作し得るようになされている。なお、ユーザは指以外にも、例えばフックや鉛筆などの身近な道具を当該指掛部５６に引っ掛けて当該パネル部３２を開動作するようにしてもよい。
【００５１】
ここで指掛部５６は、パネル露出板側縁部５４Ｅの右端部に設けられているため、開閉式パネル部３０の上部に設けられているＣＤ挿入口６（図１）が引き出されている場合であっても、当該ＣＤ挿入口６が障害となることなく当該指掛部５６の右側からユーザに指を入れさせることができ、パネル部３２を簡単に開動作し得るようになされている。さらにこの指掛部５６は、パネル露出板正面５４Ａ側を切り欠くことなく形成されているため、前方向からの外観に影響を与えないようになされている。
【００５２】
このようにして開閉式パネル部３０では、指掛部５６を設けることにより、当該指掛部５６に指を引っ掛けさせることによって、ユーザに簡単な操作でパネル部３２を開動作させ得るようになされている。
【００５３】
（３−４）開閉式パネル部の閉動作
かかる構成に加えて、本発明の開閉式パネル部３０では、図９に示すように、パネル部３２における重量配分の選定によって、当該パネル部３２の回転軸部５３を支点にしてパネル露出板部５４と鉛直線ＶＬとのなす開角度θが２７度になった時点で、当該パネル部３２全体の前方向と後方向との重量バランスが均衡する均衡角度θ´になり、その後は当該パネル部３２がパネル収納ケース部３１に自動的に引き込まれるようになされている。
【００５４】
（３−４−１）パネル部の形状
本実施の形態におけるパネル部３２では、当該パネル部３２の形状における重量配分の選定によって所定の均衡角度θ´に設定されるようになされている。
【００５５】
図１０（Ａ）に示すように、仮にパネル部３２をパネル露出板本体部５４Ｃと回転軸部５３とからなるパネル部３２ａと考えた場合、当該パネル部３２ａの重心Ｇａは４辺の中点を結んだ線上にあり、開角度θが０度である閉状態の時が当該パネル部３２ａにおける均衡角度θ´ａとなる。このためパネル部３２ａは、開角度θが９０度である開状態から閉動作された場合でも、開角度θが０度になって閉状態になる時点まで、重心Ｇａが回転軸部５３を通る鉛直線ＶＬより前方向に位置するため、自重によって前方向に倒れて開状態に引き戻される。
【００５６】
図１０（Ｂ）に示すように、パネル部３２ａとは異なりパネル露出板本体部５４Ｃに対して後方向に柱部５１が設けられた形状のパネル部３２ｂでは、パネル部３２ｂ全体の重心Ｇｂが柱部５１の内部に位置している。このため当該パネル部３２ｂは、開状態と閉状態との間で均衡するようになされており、このとき均衡角度θ´ｂが０度よりも大きくなる。この結果パネル部３２ｂは、開状態から閉動作されると、当該均衡角度θ´ｂになった時点で重心Ｇｂが鉛直線ＶＬ上に位置し、続いて重心Ｇｂが当該鉛直線ＶＬより後方向に位置することになるため、その後は当該パネル部３２ｂに力が加えられなくても、当該パネル部３２ｂは自重によって後方向に傾いてパネル収納ケース部３１に引き込まれる。
【００５７】
図１０（Ｃ）に示すように、パネル部３２ｂに加えてパネル露出板上縁部５４Ｄが設けられた形状のパネル部３２ｃでは、その全体形状の重量バランスが当該パネル部３２ｂと比較して前方向に重く、パネル部３２ｃ全体の重心Ｇｃが重心Ｇｂよりも前方向に位置している。このため当該パネル部３２ｃは、パネル部３２ｂの均衡状態（図１０（Ｂ））と閉状態との間で均衡するようになされており、均衡角度θ´ｃは０度よりも大きく、均衡角度θ´ｂよりも小さくなる。この結果当該パネル部３２ｃは、開状態から閉動作されると、均衡角度θ´ｃになった時点で、重心Ｇｃが鉛直線ＶＬ上に位置し、続いて重心Ｇｃが当該鉛直線より後方向に位置することになるため、その後は当該パネル部３２ｃに力を加えられなくても、当該パネル部３２ｃは自重によって後方向に傾いてパネル収納ケース部３１に引き込まれる。
【００５８】
ここでパネル部３２ｃでは、均衡角度θ´ｃのときに重心線ＧＬｃから最も離れた位置にあるパネル露出板本体部５４Ｃの上端にパネル露出板上縁部５４Ｄが設けられたことによって、てこの原理により、効果的に当該パネル部３２ｃの全体形状における重心Ｇｃの位置を重心Ｇｂよりも前方向に変え、均衡角度θ´ｃを小さくすることができる。さらに当該パネル部３２ｃでは、このような位置にあるパネル露出板上縁部５４Ｄが形成されることによって、当該パネル露出板上縁部５４Ｄの上端と重心線ＧＬｃと間の距離Ｄ１がパネル露出板本体部５４Ｃ上端からの距離Ｄ２より大きくなり、重心線ＧＬｃから一段と離れた位置に荷重をかけられるため、効果的にパネル部３２ｃの全体形状における重心Ｇｃの位置を重心Ｇｂよりも前方向に変化させることができる。
【００５９】
このようにして開閉式パネル部３０では、パネル部３２の形状による重量配分の選定によって、当該パネル部３２が所定の均衡角度θ´になった時点でパネル収納ケース部３１に自動的に引き込まれるようになされている。
【００６０】
（３−４−２）装着ボタン部の装着
本実施の形態における開閉式パネル部３０では、上述したパネル部３２の形状に加え、装着ボタン部３３におけるサブ機能ボタン群７０の当該パネル部３２への装着位置による重量配分の選定によって均衡角度θ´＝２７度に設定されている。
【００６１】
図５に示したように、パネル部３２に装着された装着ボタン部３３には、２列に配置された合計９個のサブ機能ボタン群７０が設けられている。この装着ボタン部３３は、中心線３３Ａを境に前方向に５つのサブ機能ボタン群７０（Ｅ〜Ｉ）が、後方向に４つのサブ機能ボタン群７０（Ａ〜Ｄ）が位置するため、前方向が重く、後方向が軽くなるようになされている。そして、この装着ボタン部３３は、部品未装着の状態であるパネル部３２ｃの重心線ＧＬｃ（図１０（Ｃ））上にその中心線３３Ａが位置するように装着される。
【００６２】
そしてパネル部３２では、このようなサブ機能ボタン群７０の位置によって重量配分が選定された装着ボタン部３３がパネル操作面部５１Ａに装着されることによって、装着ボタン部３３が装着されたパネル部３２全体における重心Ｇ（図９）が重心Ｇｃ（図１０（Ｃ））より前方向に変わり、均衡角度θ´＝２７度に設定される。
【００６３】
このように、パネル部３２では、当該パネル部３２の形状と、サブ機能ボタン群７０の装着位置とによる重量配分によって、当該パネル部３２が所定の均衡角度θ´＝２７度になった時点でパネル収納ケース部３１に自動的に引き込まれるようになされている。
【００６４】
これにより開閉式パネル部３０では、図９に示したように、開状態にされたパネル部３２が徐々に後方向へ傾けられると、開角度θが均衡角度θ´＝２７度になった時点で、当該パネル部３２全体の重心Ｇが鉛直線ＶＬより後方向側へ遷移し、その後は力を加えなくても自重によって当該パネル部３２がパネル収納ケース部３１に引き込まれるため、ユーザによる当該パネル部３２を均衡角度θ´＝２７度まで押し込むだけの操作によって当該パネル部３２を当該パネル収納ケース部３１に収納し得るようになされている。
【００６５】
また、パネル部３２の形状と、サブ機能ボタン群７０の装着位置とによって決定される重量配分によって均衡角度θ´が２７度に選定されているため、特別な部品を必要せず、簡易な構成で、当該パネル部３２を当該パネル収納ケース部３１に収納し得るようになされている。
【００６６】
このようにして、本実施の形態におけるミニコンポ１の開閉式パネル部３０では、パネル部３２の形状と、当該パネル部３２に装着される装着ボタン部３３におけるサブ機能ボタン群７０の装着位置とによって決定される重量配分によって、開角度θが２７度になった時点で当該パネル部３２がパネル収納ケース部３１に引き込まれるようになされているため、簡易な構成で、ユーザによる簡単な操作によって当該パネル部３２を当該パネル収納ケース部３１に収納し得るようになされている。
【００６７】
（４）動作及び効果
以上の構成において、本発明の開閉式パネル部３０では、パネル部３２の形状において、パネル露出板本体部５４Ｃに対して柱部５１とパネル露出板上縁部５４Ｄとが設けられ、サブ機能ボタン群７０がパネル操作面部５１Ａの所定の位置に装着されたことによって当該パネル部３２が所定の重量配分に設定されているため、開角度θが２７度になった時点で当該パネル部３２はパネル収納ケース部３１に引き込まれる。
【００６８】
この結果、当該パネル部３２では、全体としての均衡角度θ´が２７度に設定され、当該パネル部３２が後方向へ傾けられた場合、開角度θが２７度になった時点で重心Ｇが回転軸部５３を通る鉛直線ＶＬより後方向に移動するため、その後は力が加えられなくても自動的にパネル収納ケース部３１のケース本体部４１に引き込まれる。
【００６９】
これにより、開閉式パネル部３０では、従来のようなバネ及び係止具が不要になると共に、当該パネル部３２の位置を所定の開角度θ＝２７度まで閉じるユーザの操作のみで、当該パネル部３２は自重によってパネル収納ケース部３１に引き込まれるため、簡易な構成で、ユーザの簡単な操作によって当該パネル部３２の収納をすることができる。
【００７０】
また開閉式パネル部３０では、バネを使用せず自重によってパネル部３２を収納するため、従来のバネを使用する方法と比較して、バネによる開動作方向への反発力によって生じる跳ね返りを防止することができ、確実に当該パネル部３２を当該パネル収納ケース部３１に収納することができる。
【００７１】
さらに開閉式パネル部３０では、パネル部３２の自重によって跳ね返りが生じた場合でも、自重によって再度、自動的に当該パネル部３２が当該パネル収納ケース部３１に収納されるため、当該パネル部３２が開状態にされたまま放置されることを防止できる。
【００７２】
また開閉式パネル部３０では、パネル露出板上縁部５４Ｄに磁石からなる被固定部５８を設け、ケース上縁部４２における当該被固定部５８と対向する部分に金属からなる固定部４５を設けたことにより、磁力によってパネル部３２をパネル収納ケース部３１に吸引することができ、閉状態の際に振動によって当該パネル部３２が開動作されることを防止できる。
【００７３】
さらに、開閉式パネル部３０では、上述した磁力による吸引によって、パネル部３２がパネル収納ケース部３１に引き込まれた後の跳ね返りを防止することができるため、当該パネル部３２の静かな開閉が可能となる。また開閉式パネル部３０では、被固定部５８と固定部４５とが周囲より僅かに突出していることから、引き込みによって生じる衝撃を磁石と金属とからなる当該被固定部５８及び当該固定部４５に集中させることができ、当該衝撃によるパネル露出板上縁部５４Ｄ及びケース上縁部４２の損傷を防止することができる。
【００７４】
さらに、開閉式パネル部３０では、引掛部としてパネル露出板背面５４Ｂに半円状のくり抜きである指掛部５６を設けたことにより、ユーザに当該指掛部５６へ指を挟みこませることによって、最小限の力によって簡単にパネル部３２を開動作させ得る。
【００７５】
また開閉式パネル部３０では、指掛部５６によってパネル部３２を開動作し得るため、従来のバネによって開動作方向に付勢する方法と比較して、バネの弾性力低下による開動作性の低下を防止することができ、当該開閉式パネル部３０の耐久性を向上することができる。
【００７６】
以上の構成によれば、本発明の開閉式パネル部３０では、簡易な構成で、かつユーザの簡単な操作によってパネル部３２を閉動作してパネル収納ケース部３１に収納することができる。
【００７７】
（５）その他の実施の形態
なお上述の実施の形態においては、均衡角度θ´が２７度に設定されることによって開角度θが２７度の時点においてパネル部３２のパネル収納ケース部３１へ引き込まれるようにした場合について述べたが、本発明はこれに限らず、パネルの形状及び部品の装着位置による重量配分に応じた任意の均衡角度θ´に設定するようにしてもよい。
【００７８】
例えば、開閉式パネル部３０では、上述した均衡角度θ´を２７°より大きく設定することによって、開角度θが一段と大きい所定角度において自重によってパネル部３２がパネル収納ケース部３１へ引き込まれるようにすることができるため、ユーザの一段と簡単な操作によって当該パネル部３２を当該パネル収納ケース部３１へ収納することが可能となる。
【００７９】
また、開閉式パネル部３０では、均衡角度θ´を２７度より小さくし、ユーザが指掛部５６に指を挟み入れることのみによってパネル部３２が自重によって開くようにするようにしても良い。これにより、上述した効果に加えて一段と簡単にパネル部３２を開状態にすることができる。
【００８０】
また上述の実施の形態においては、柱部５１はその断面において底辺と垂直辺とが等しい二等辺三角形状でなるようにした場合について述べたが、本発明はこれに限らず、例えば閉状態における当該断面形状を底辺が垂直辺より長い直角三角形にすることによって、重心線ＧＬから離れた位置に荷重をかけられる形状にすることができ、てこの原理によってパネル部３２全体の重心Ｇを二等辺三角形の場合よりも後方向に位置させることができる。
【００８１】
同様に、閉状態における当該断面形状を底辺が垂直辺より短い直角三角形にすることによって、重心線ＧＬから離れていない位置に荷重をかけられる形状にすることができ、てこの原理によってパネル部３２全体の重心Ｇを二等辺三角形の場合よりも前方向に位置させることができる。
【００８２】
また上述の実施の形態においては、柱部５１は三角柱形状でなるようにした場合について述べたが、本発明はこれに限らず、どのような立体形状であっても良い。例えば四角柱や五角柱等の各種柱形状、若しくは変則的な立体形状でも良く、その形状における重量配分の選定によって上述した効果を得ることができる。
【００８３】
さらに上述の実施の形態においては、ケース本体部４１は１／４円状の側面を有する１／４円柱形状でなるようにした場合について述べたが、本発明はこれに限らず、パネル部３２を収納できる形状であればどのような立体形状でも良い。さらにケース本体部４１を設けずに、パネル収納部として例えば各種機器に直接パネルの収納空間及び回転軸保持部４３を設け、当該パネル部３２の回転軸部５３を当該各種機器に直接設けられた当該回転軸保持部４３へ嵌合するようにしても良い。
【００８４】
さらに上述の実施の形態においては、パネル部３２は、パネル操作面部５１Ａに装着ボタン部３３が装着されるようにした場合について述べたが、本発明はこれに限らず、例えば表示パネル等の各種装着部品をパネル部３２の任意の位置に装着することができる。例えばパネル部３２は、パネル露出板背面５４Ｂに配線等の部品が装着されるようにしても良い。この時、パネル部３２は、てこの原理により重心線ＧＬから離れた位置に部品が装着されることによって、より効果的に重心Ｇの位置を遷移させることができ、任意の均衡角度θ´において引き込まれるようにすることができる。
【００８５】
さらに上述の実施の形態においては、パネル部３２は、前後２列に配置されたサブ機能ボタン群７０の数を前後列で同一にしないことによって重量バランスを前後方向に不均等にした当該装着ボタン部３３が装着される場合について述べたが、本発明はこれに限らず、当該装着ボタン部３３やサブ機能ボタン群７０の装着位置によって当該パネル部３２全体における重心Ｇを遷移させられれば良く、例えば前後方向の重量バランスが均等な当該装着ボタン部３３の中心線３３Ａを、部品未装着状態のパネル部３２における重心線ＧＬから後方向又は前方向にずらした状態で装着されることによって、当該装着ボタン部３３が装着された状態のパネル部３２全体における重心Ｇを遷移させるようにしてもよい。
【００８６】
さらに上述の実施の形態においては、パネル収納ケース部３１の角度保持凹部４４は水平辺を有する矩形状の切抜部分によって形成され、当該水平辺部によってパネル部３２の角度保持凸部５４Ｆを保持することによってパネル露出板部５４を水平に保持するようにした場合について述べたが、本発明はこれに限らず、当該角度保持凹部４４、当該角度保持凸部５４Ｆの形状を変化させることによって当該パネル露出板部５４を任意の角度に保持するようにしても良い。
【００８７】
さらに上述の実施の形態においては、磁石からなる被固定部５８と金属板からなる固定部４５とによってパネル部３２をパネル収納ケース部３１に固定するようにした場合について述べたが、本発明はこれに限らず、磁力によって固定できるようにすれば良く、金属板からなる被固定部５８と磁石からなる固定部４５とによって、又は磁石からなる被固定部５８と固定部４５とによって固定するようにしても良い。
【００８８】
さらに上述の実施の形態においては、磁力によってパネル部３２をパネル収納ケース部３１に固定するようにした場合について述べたが、本発明はこれに限らず、被固定部５８と固定部４５を設けなくても本発明の効果は変わらない。この場合、例えばスポンジ等のクッション材をパネル露出板上縁部５４Ｄ又はケース上縁部４２に貼り付ける等の各種処理によって、上述した振動によるガタツキを防止し得る。
【００８９】
さらに上述の実施の形態においては、引掛部として指掛部５６に指を引掛けることによってパネル部３２を開動作させるようにした場合について述べたが、本発明はこれに限らず、例えば鉛筆やフックなどの道具で開動作するようにしてもよい。
【００９０】
さらに上述の実施の形態においては、パネル部３２のパネル収納ケース部３１に収納された場合に露出する露出面であるパネル露出板部５４のパネル露出板側縁部５４Ｅにおけるパネル露出板背面５４Ｂ側に半円状の指掛部５６を設けるようにした場合について述べたが、本発明はこれに限らず、パネル露出板部５４とパネル収納ケース部３１との間に外部から引掛けることのできる例えば四角形や多角形等の各種所定形状の引掛部を設ければよい。例えば、パネル収納ケース部３１に当該引掛部を設け、当該引掛部に指や道具を挟み入れてパネル部３２を引っ掛けることによって引き出すようにしても、同様の効果を得ることができる。
【００９１】
さらに上述の実施の形態においては、開閉式パネル部３０はミニコンポ１に組み込まれるようにした場合について述べたが、本発明はこれに限らず、ラジオカセットレコーダや、ビデオレコーダ等の音響機器や映像機器、さらにエアーコンディショナや電話機などの各種電子機器に組み入れるようにしても良い。
【００９２】
さらに上述の実施の形態においては、回転軸部としての回転軸部５３と、パネル部としてのパネル部３２と、収納空間形成部としてのケース本体部４１と、回転軸保持部としての回転軸保持部４３と、パネル収納部としてのパネル収納ケース部３１とによって開閉式パネル装置としての開閉式パネル部３０を構成するようにした場合について述べたが、本発明はこれに限らず、その他種々の装置、部品からなるパネル部、パネル収納部を開閉式パネル装置として使用するようにしても良い。
【産業上の利用可能性】
【００９３】
本発明の開閉式パネル装置は、音楽記録再生装置、電話機、エアーコンディショナ等の各種電子機器に幅広く適用することができる。
【図面の簡単な説明】
【００９４】
【図１】ミニコンポの全体構成を示す略線的斜視図である。
【図２】トップ操作盤部の構成を示す略線図である。
【図３】フロント操作盤部の構成を示す略線図である。
【図４】開閉式パネル部の開状態の説明に供する略線図である。
【図５】サブ機能ボタン群の構成を示す略線図である。
【図６】開閉式パネル部の構成（閉状態）を示す略線図である。
【図７】開閉式パネル部の構成（開状態）を示す略線図である。
【図８】開閉式パネル部（開状態）を示す略線図である。
【図９】パネル部の閉動作の説明に供する略線図である。
【図１０】重心と均衡角度との関係の説明に供する略線的断面図である。
【符号の説明】
【００９５】
１……ミニコンポ、２……フロント操作盤部、３……スピーカ、４……トップ操作盤部、３０……開閉式パネル部、３１……パネル収納ケース部、３２……パネル部、３３……装着ボタン部、４１……ケース本体部、４２……ケース上縁部、４３……回転軸保持部、４５……固定部、５１……柱部、５１Ａ……パネル操作面、５２……貫通孔、５３……回転軸部、５４……パネル露出板部、５４Ｃ……パネル露出板本体部、５４Ｄ……パネル露出板上縁部、５６……指掛部、５８……被固定部、７０……サブ機能ボタン群。
【図１】
2006351730.tif 000003
【図２】
2006351730.tif 000004
【図３】
2006351730.tif 000005
【図４】
2006351730.tif 000006
【図５】
2006351730.tif 000007
【図６】
2006351730.tif 000008
【図７】
2006351730.tif 000009
【図８】
2006351730.tif 000010
【図９】
2006351730.tif 000011
【図１０】
2006351730.tif 000012